(57)【特許請求の範囲】
【請求項１】
一つ又は複数の回転切断ヘッドを含むひげトリマーであって、前記回転切断ヘッドが移動刃と固定刃を含み、各ヘッドが冠の形の櫛によって包囲され、前記櫛が、高さ調整可能であり、かつ使用時に、前記刃と皮膚の間の距離を調整し、ひげの毛の切断を所望の長さに適応することを可能にするひげトリマーにおいて、前記トリマーが移動刃及び固定刃を含み、固定刃の幾何学的形状が以下によって特徴づけられるひげトリマー：
−  １〜３ｍｍの歯の長さＬ３；
−  ２０〜３０°の歯の間の開口角度α；
−  ０．３〜１ｍｍの歯の端における歯の幅Ｌ２。
【請求項２】
前記固定刃が２４〜５４個の歯を含む、請求項１に記載のひげトリマー。
【請求項３】
固定刃の直径が１２〜２５ｍｍである、請求項１に記載のひげトリマー。
【請求項４】
開口角度αの中央軸が固定刃の中央を通過する、請求項１に記載のひげトリマー。
【請求項５】
開口角度αの中央軸が固定刃の中央を通過しない、請求項１に記載のひげトリマー。
【請求項６】
前記固定刃が交換可能である、請求項１に記載のひげトリマー。
【請求項７】
前記固定刃及び移動刃が交換可能である、請求項１に記載のひげトリマー。
【請求項８】
前記トリマーが一つ、二つ、又は三つの回転ヘッドを含む、請求項１に記載のひげトリマー。
【請求項９】
櫛の高さの調整が、電動化され、かつ０．５ミリメートル以内で位置調整されることができる、請求項１に記載のひげトリマー。
【請求項１０】
前記櫛が、切断機構と皮膚の間の距離を０〜２０ｍｍに０．５ｍｍの精度で調整することを可能にする、請求項１に記載のひげトリマー。
【発明の詳細な説明】
【技術分野】
【０００１】
本発明は、一つ又は複数の、垂直軸を持つ回転切断ヘッドを含むひげトリマー（ｂｅａｒｄ  ｔｒｉｍｍｅｒ）に関する。これらの回転ヘッドの切断機構は、移動刃と固定刃を備えている。各切断ヘッドは、冠の形の櫛によって包囲され、その高さが調整可能である。使用時には、櫛は、切断機構と皮膚の間の距離を調整してひげの切断長さを調整することを可能にする。本発明によるトリマーは、いかなるタイプのひげにも適応されることができる特定の幾何学的形状を有するタイプの固定刃を含む。
【背景技術】
【０００２】
従来技術のひげトリマーは、直線状に移動する刃及び固定刃を持ち、その操作は、固定刃に対して移動刃の行ったり来たりの移動に基づく。このタイプのトリマーは、一般的にひげの切断長さを調整することを可能にする櫛を備えている。かかるひげトリマーは、例えばＵＳＤ６９８０８４，ＵＳ６９７８５４７，ＵＳＤ４８６２６７，ＥＰ２７６６１５３Ａ１，ＵＳＤ３６３８０９，ＵＳ２０１３／００４２４８７，ＵＳ７０７６８７８，ＵＳＤ５２１６８３などに開示されている。
【０００３】
もちろん極めて短く切ったひげそりを達成することを可能にする複数の回転ヘッドを持つ電気かみそりが存在するが、これらは、ひげをトリミングするために使用されることができない。電気かみそりは、切断機構と皮膚の間の距離を調整するための櫛を持たない。我々が知っている限り、従来技術において回転ヘッドを有するひげトリマーはない。
【０００４】
従来技術のトリマーは、移動刃と固定刃の交差部に直線切断線を持つ。それらは、ひげの毛が一つの方向に傾斜されることが最も多いのでトリミング方向に依存して毛を異なるようにトリミングする欠点を持つ。なぜならば、ひげの毛は、皮膚に対して垂直に成長することがほとんどないからである。従って、これらのトリマーで刈り取る結果は、トリミングされるひげの上での移動方向に依存して極めて異なる。
【０００５】
本発明による固定刃を含み、かつ冠の形の櫛によって包囲される、一つ又は複数の、垂直軸を持つ回転切断ヘッドを含むトリマーは、従来技術において知られていない。
【発明の概要】
【発明が解決しようとする課題】
【０００６】
本発明は、ひげの切断高さを調整することを可能にする調整可能な長さを有する櫛によって包囲される一つ又は複数の回転切断ヘッドを有するひげトリマーを提供することを目的とし、そのトリマーは、それらが特定の幾何学的形状を有する固定刃を備え、好ましくはいかなるタイプのひげにも適応されることができるように交換可能なものである。
【課題を解決するための手段】
【０００７】
本発明は、一つ又は複数の回転切断ヘッドを含むひげトリマーであって、前記回転切断ヘッドが移動刃と固定刃を含み、各ヘッドが冠の形の櫛によって包囲され、前記櫛が、高さ調整可能であり、かつ使用時に、前記刃と皮膚の間の距離を調整し、ひげの毛の切断を所望の長さに適応することを可能にするひげトリマーにおいて、
前記トリマーが固定刃を含み、その幾何学的形状が以下によって特徴づけられるひげトリマーを開示する：
−  １〜３ｍｍ、好ましくは１．５〜２ｍｍの歯の長さＬ３；
−  ２０〜３０°、好ましくは２２〜２８°、特に好ましくは２４〜２７°の歯の間の開口角度α；
−  ０．３〜１ｍｍ、好ましくは０．４〜０．９ｍｍの歯の端における歯の幅Ｌ２。
【０００８】
本発明の好ましい実施形態は、以下の特徴の少なくとも一つ、又はいずれかの適切な組み合わせを含む：
−  固定刃が２４〜５４個の歯、好ましくは３０〜４５個の歯、特に好ましくは３２〜４０個の歯を含む；
−  固定刃の直径が１２〜２５ｍｍ、好ましくは１８〜２２ｍｍである；
−  開口角度αの中央軸が固定刃の中央を通過する；
−  開口角度αの中央軸が固定刃の中央を通過しない；
−  前記固定刃が交換可能である；
−  前記固定刃が移動刃が交換可能である；
−  前記トリマーが一つ、二つ、又は三つの回転ヘッドを含む；
−  櫛の高さの調整が、電動化され、かつ０．５ミリメートル以内で位置調整されることができる；
−  前記櫛が、切断機構と皮膚の間の距離を０〜２０ｍｍ、好ましくは１〜１５ｍｍ、特に好ましくは２〜１２ｍｍに０．５ｍｍの精度で調整することを可能にする；
【図面の簡単な説明】
【０００９】
【図１】図１は、三つの回転ヘッドを含む本発明によるひげトリマーを示す。回転ヘッドのまわりの冠形状の櫛は、三つの異なる調整高さで示される。例えば、これらの三つの調整は、例えば２，６，及び１０ｍｍの毛高さを得ることを可能にする。
【００１０】
【図２】図２は、一つ又は二つの切断ヘッドをそれぞれ有する本発明によるトリマーを示す。
【００１１】
【図３】図３は、櫛の高さを調整するための機構を概略的に示す。
【００１２】
【図４】図４は、切断機構及び切断高さの調整の詳細図を示す。
【００１３】
【図５】図５は、垂直軸上の移動刃及び固定刃の配置及び固定刃のキーパラメーターの詳細図を示す。
【００１４】
【図６】図６は、本発明による固定刃の寸法決定の図示例を示す。
【図７】図７は、本発明による固定刃の寸法決定の図示例を示す。
【図８】図８は、本発明による固定刃の寸法決定の図示例を示す。
【図９】図９は、本発明による固定刃の寸法決定の図示例を示す。
【００１５】
参照符号のリスト
１  垂直軸を有する円形回転ヘッド
２  移動刃
３  固定刃
４  切断ヘッドを包囲する冠形状の櫛
５  カバー
【発明を実施するための形態】
【００１６】
従来技術のひげトリマーと違って、本発明によるトリマーは、冠形状の櫛４によって包囲された、垂直軸を有する一つ又は複数の円形回転ヘッド１を持ち、その高さは、０．５ミリメートル以内で調整されることができる。この調整は、手動であるか又は電動であることができる（図示せず）。このトリマーは、回転ヘッドを有する電気ひげそりのように、ひげの上のアーチ形の円の移動を可能にする。このタイプの移動は、皮膚に対する傾斜にかかわらず、全ての側からの毛のトリミングを開始する利点を持ち、それは、ひげの均一なトリミングをもたらす。
【００１７】
櫛４の移動は、毛を立ち上げ、それは、最終的にトリミング領域における二つの歯の間に残る空間を介して外側から内側の方へ侵入する。先端に向かって徐々に細くなる櫛４の歯の特定の形状は、固定刃３と移動刃２から作られたトリミング要素に向かってひげの毛の容易な侵入を可能にする。
【００１８】
伸縮自在の櫛４の高さは、約０〜１５ｍｍ、好ましくは０〜１２ｍｍ、特に好ましくは０〜１０ｍｍに調整されることができる。それゆえ、櫛は、トリマーが収容されるときにより少ない空間をとるようにカバー５にほとんど完全に格納可能である。
【００１９】
回転ヘッドを包囲するカバー５は、切断機構の浄化を容易にするために除去可能である。
【００２０】
固定刃３は、放射状の切欠きを含み、そこでは切欠きは、固定刃の軸を結ぶ線と対称又は非対称の角度を形成し、それは、切断機構における毛の侵入に好ましい。
【００２１】
ひげの毛の太さ及びそれらの密度は、人によって極めて変わりうる。それゆえ、どのタイプの固定刃が使用者のために最適に作用するかを予想することは難しいことがある。それゆえ、本発明によるトリマーは、移動刃及び固定刃を含み、それらは交換可能であることが好ましい。本発明の一つの好ましい実施形態では、トリマーは、一組の交換可能な刃を付随することができる。
【００２２】
さらに、刃の摩耗はまた、電気かみそり刃の摩耗より大きいかもしれず、それは、刃の頻繁な交換を要求するかもしれない。
【００２３】
固定刃のキーパラメーターは、図５に示されている。Ｌ１は、固定刃の歯間の距離をその外径で表わす。Ｌ２は、刃の外径での歯の端の幅を表わす。Ｌ３は、歯の長さを表わし、αは、固定刃の二つの歯の間の開口角度を表わす。
【００２４】
固定刃は、大きく変動可能な歯の長さＬ３を持つことができる。それは、０．５〜４ｍｍで変動しうるが、それは、一般に１〜３ｍｍ、好ましくは１．５〜２ｍｍである。歯のために選択される長さは、もちろん固定刃の直径、及び考えられる歯の数に関連する。従って、大きな直径（例えば２５ｍｍ）及び少数の歯を持つ刃は、多数の歯を持つものより大きな歯の長さＬ３を可能にする。固定刃は、一般に２４〜５４個の歯、好ましくは３０〜４５個の歯を含む。固定刃の直径は、一般に１２〜２５ｍｍ、好ましくは１８〜２２ｍｍである。
【００２５】
皮膚との攻撃的な接触及び機械的応力はまた、歯の端で一定の歯の幅Ｌ２を保持することを刃製造業者に要求する。この場合において、許容範囲は、一般に０．３〜１ｍｍ、好ましくは０．４〜０．９ｍｍである。
【００２６】
さらに、寸法Ｌ２及びＬ３は、開口角度α、それゆえ同じ直径に対するＬ１を当然決定する。開口角度αは、一般に２０〜３０°、好ましくは２２〜２８°である。この開口角度αは、中央軸によって規定され、中央軸は、固定刃の中央を通過する必要は必ずしもない。この場合において、この角度は、「非対称角度」として言及される。
【００２７】
もちろん、本発明は、幾何学的に不可能である寸法Ｌ２，Ｌ３，及びαの組み合わせを除外し、当業者は、技術的に利用可能なパラメーターの組み合わせのみを考慮するだろう。寸法決定の図示例は、図６〜９に与えられる。
【実施例】
【００２８】
実施例１
図６は、固定刃の半径に対して対称的な歯の間の開口角度及び４０個の歯を有する固定刃を示す。この実施例では、Ｌ３＝１．９ｍｍ；Ｌ２＝０．６ｍｍ；及びα＝２２°。
【００２９】
実施例２
図７は、固定刃の半径に対して対称的な歯の間の開口角度及び３２個の歯を有する固定刃を示す。この実施例では、Ｌ３＝１．８ｍｍ；Ｌ２＝０．８ｍｍ；及びα＝２６．１°。
【００３０】
実施例３
図８は、固定刃の半径に対して非対称的な歯の間の開口角度及び３２個の歯を有する固定刃を示す。この実施例では、Ｌ３＝２ｍｍ；Ｌ２＝０．６ｍｍ；及びα＝２６．１°。
【００３１】
実施例４
図９は、固定刃の半径に対して対称的な歯の間の開口角度及び４０個の歯を有する固定刃を示す。この実施例では、Ｌ３＝１．８ｍｍ；Ｌ２＝０．４ｍｍ；及びα＝２６．１°。
【図１】
0006644089.tif 000002
【図２】
0006644089.tif 000003
【図３】
0006644089.tif 000004
【図４】
0006644089.tif 000005
【図５】
0006644089.tif 000006
【図６】
0006644089.tif 000007
【図７】
0006644089.tif 000008
【図８】
0006644089.tif 000009
【図９】
0006644089.tif 000010